(57)【要約】  移動体端末の所有者の声紋特徴を移動体端末に保存し、そして、複数の標準音声命令を含み、前記複数の標準音声命令の各々が対応するバックグラウンドタスクを制御するために構成され、且つ所有者の声紋特徴を有する、音声ベースを作ること；移動体端末の周囲環境の音をリアルタイムに監視すること；音の声紋特徴を抽出すること；音の声紋特徴及び音声ベース内の所有者の声紋特徴に基づき、音を出している人が移動体端末の所有者であるか否かを判断すること；音を出している人が移動体端末の所有者である場合において、音が音声ベース内の標準音声命令を含んでいるか否かを更に判断すること；及び音が標準音声命令を含んでいる場合、標準音声命令に従って対応するバックグラウンドタスクを制御することを含む、音声によるバックグラウンド制御方法を提供する。また、移動体端末を提供する。本発明により音声によるバックグラウンドタスクを制御することができる。【選択図】図１
2016502302.tif 000002
【特許請求の範囲】
【請求項１】
移動体端末の所有者の声紋特徴を前記移動体端末に保存し、複数の標準音声命令を含み、各標準音声命令が対応するバックグラウンドタスクを制御するため構成され、前記標準音声命令が前記所有者の前記声紋特徴を有する音声ベースを作ることと、
前記移動体端末の周囲環境の音をリアルタイムに監視することと、
前記音の声紋特徴を抽出することと、
前記音の前記声紋特徴及び前記音声ベース内の前記所有者の前記声紋特徴に基づいて、前記音を出している人が前記移動体端末の前記所有者であるか否かを判断することと、
前記音を出している人が前記移動体端末の前記所有者である場合、前記音が前記音声ベース内の前記標準音声命令を含んでいるか否かをさらに判断することと、
前記音が前記標準音声命令を含んでいる場合、前記標準音声命令に従って対応するバックグラウンドタスクを制御することと、
を備える音声によるバックグラウンド制御方法。
【請求項２】
音声センサが前記移動体端末の前記周囲環境の前記音を監視するために使用される、請求項１に記載の方法。
【請求項３】
前記標準音声命令の各々は、前記対応するバックグラウンドタスクのタイトル及びアクションを指示するため構成されている第一の意味特徴情報を含む、請求項１に記載の方法。
【請求項４】
前記音が前記標準音声命令を含んでいるか否かを判断することは、
第二の意味特徴情報を取得するために前記音を解析することと、
前記第二の意味特徴情報を前記第一の意味特徴情報と照合することと、
前記音と一致した前記標準音声命令を検索することと、
を備える、請求項３に記載の方法。
【請求項５】
前記対応するバックグラウンドタスクを実行することの結果をフィードバックすることをさらに備える、請求項１〜４のいずれか１項に記載の方法。
【請求項６】
前記結果は、音声、テキスト、振動、画像及びリンギングよりなる群から選択された１つ以上を含む、請求項５に記載の方法。
【請求項７】
移動体端末の所有者の声紋特徴を記憶し、複数の標準音声命令を含み、各標準音声命令が対応するバックグラウンドタスクを制御するため構成され、前記標準音声命令が前記所有者の前記声紋特徴を有する音声ベースを記憶するため構成されている記憶モジュールと、
前記移動体端末の周囲環境の音をリアルタイム監視するため構成されている監視モジュールと、
前記音の声紋特徴を抽出するため構成されている抽出モジュールと、
前記音の前記声紋特徴及び前記所有者の前記声紋特徴に従って、前記音を出している人が前記移動体端末の前記所有者であるか否かを判断し、前記音を出している人が前記移動体端末の前記所有者である場合、前記音が前記標準音声命令を含んでいるか否かをさらに判断するため構成されている判断モジュールと、
前記判断モジュールが前記音は前記標準音声命令を含んでいると判断した場合、前記標準音声命令に従って、対応するバックグラウンドタスクを制御するため構成されているバックグラウンド制御モジュールと、
を備える移動体端末。
【請求項８】
前記監視モジュールは、音声センサである、請求項７に記載の移動体端末。
【請求項９】
前記標準音声命令の各々は、前記対応するバックグラウンドタスクのタイトル及びアクションを指示するため構成されている第一の意味特徴情報を備える、請求項７に記載の移動体端末。
【請求項１０】
前記判断モジュールは、
第二の意味特徴情報を取得するために前記音を解析するため構成されている意味解析ユニットと、
前記第二の意味特徴情報を前記第一の意味特徴情報と照合するため構成されている照合ユニットと、
前記音と一致した前記標準音声命令を検索するため構成されている検索ユニットと、
を備える、請求項９に記載の移動体端末。
【請求項１１】
前記対応するバックグラウンドタスクを実行することの結果をフィードバックするため構成されているフィードバックモジュールをさらに備える、請求項７〜１０のいずれか１項に記載の移動体端末。
【請求項１２】
前記結果は、音声、テキスト、振動、画像及びリンギングよりなる群から選択された１つ以上を含む、請求項１１に記載の移動体端末。
【発明の詳細な説明】
【技術分野】
【０００１】
本発明は、移動体通信の技術分野、より詳しくは、音声によるバックグラウンド制御方法、及び移動体端末に関する。
【背景技術】
【０００２】
移動体端末がよりインテリジェントになるにつれて、移動体端末では、より多くのタスクが動作される。ユーザが移動体端末においてプログラムを実行したい場合、プログラムは、現在のところ、主としてタッチやクリックを介して開始され、そのフォアグラウンドでは対応する機能が実行される。しかし、移動体端末において複数のタスクが動作しているとき、ユーザは異なるプログラム間での切り換えを必要とし、このことは、操作を煩わしくさせる。さらに悪いことに、ユーザの両手がどちらも塞がっている場合、移動体端末を操作するのは不便である。
【発明の概要】
【発明が解決しようとする課題】
【０００３】
本発明は、上記問題のうちの少なくとも１つを、少なくともある程度まで解決することを目指す。
【０００４】
そのため、本発明の目的は、音声によるバックグラウンドタスクを制御する方法を提供することである。
【０００５】
本発明の別の目的は、移動体端末を提供することである。
【課題を解決するための手段】
【０００６】
これらの目的を達成するために、本発明の実施形態の第一の態様は、
移動体端末の所有者の声紋特徴を移動体端末に保存し、そして、複数の標準音声命令を含み、前記複数の標準音声命令の各々が対応するバックグラウンドタスクを制御するために構成され、且つ所有者の声紋特徴を有する、音声ベースを作るステップと、
移動体端末の周囲環境の音をリアルタイムに監視するステップと、
前記音の声紋特徴を抽出するステップと、
前記音の声紋特徴及び前記音声ベース内の所有者の声紋特徴に基づき、前記音を出している人が移動体端末の所有者であるか否かを判断するステップと、
前記音を出している人が移動体端末の所有者である場合において、前記音が音声ベース内の標準音声命令を含んでいるか否かを更に判断するステップと、
前記音が標準音声命令を含んでいる場合、標準音声命令に従って対応するバックグラウンドタスクを制御するステップとを備える、音声によるバックグラウンド制御方法を提供する。
【０００７】
本発明の実施形態に係る音声によるバックグラウンド制御方法を用いると、バックグラウンドタスクの動作は、音声により制御されるので、その他のタスクは、ユーザによって動かされている現在タスクを中断することなく実施され得る。ユーザは、複数のプログラム間での切り換えを行うことなく、様々なタスクを動作させる高品質の体験を享受できる。更に、移動体端末の所有者の声紋を識別することで、音声制御の安全性及び信頼性が改善され得る。
【０００８】
本発明の一実施形態では、音声センサが移動体端末の周囲環境の音を監視するために使用される。
【０００９】
本発明の一実施形態では、標準音声命令の各々は、対応するバックグラウンドタスクのタイトル及びアクションを指示するために構成されている第一の意味特徴情報を含む。
【００１０】
本発明の一実施形態では、前記音が音声ベース内の標準音声命令を含んでいるか否かを判断するステップは、以下のステップ：第二の意味特徴情報を取得するために音を解析するステップ、第二の意味特徴情報を第一の意味特徴情報と照合するステップ、及び、前記音と一致した標準音声命令を検索するステップを備える。
【００１１】
本発明の一実施形態では、音声によるバックグラウンド制御方法は、更に、対応するバックグラウンドタスクを実行することの結果をフィードバックするステップを備える。
【００１２】
本発明の一実施形態では、前記結果は、音声、テキスト、振動、画像及びリンギングよりなる群から選択された１つ以上を含む。
【００１３】
これらの目的を達成するために、本発明の実施形態の第二の態様は、
移動体端末の所有者の声紋特徴を記憶し、複数の標準音声命令を含み、標準音声命令の各々が対応するバックグラウンドタスクを制御するために構成され、標準音声命令が所有者の声紋特徴を有する音声ベースを記憶するために構成されている記憶モジュールと、
移動体端末の周囲環境の音をリアルタイムに監視するため構成されている監視モジュールと、
前記音の声紋特徴を抽出するために構成されている抽出モジュールと、
抽出された声紋特徴及び所有者の声紋特徴に基づき、前記音を出している人が移動体端末の所有者であるか否かを判断し、前記音を出している人が移動体端末の所有者である場合に、前記音が標準音声命令を含んでいるか否かを更に判断するために構成されている判断モジュールと、
前記判断モジュールにおいて前記音が標準音声命令を含んでいると判断された場合に、標準音声命令に従って、対応するバックグラウンドタスクを制御するために構成されているバックグラウンド制御モジュールと、を備える移動体端末を提供する。
【００１４】
本発明の実施形態に係る移動体端末を用いると、バックグラウンドタスクの動作が音声により制御されるので、その他のタスクは、ユーザによって動かされている現在タスクを中断することなく実施され得る。ユーザは、複数のプログラム間での切り換えを行うことなく、様々なタスクを動作させる高品質の体験を享受できる。更に、移動体端末の所有者の声紋を識別することで、音声制御の安全性及び信頼性が改善され得る。
【００１５】
本発明の一実施形態では、監視モジュールは、音声センサである。
【００１６】
本発明の一実施形態では、標準音声命令の各々は、対応するバックグラウンドタスクのタイトル及びアクションを指示するため構成されている第一の意味特徴情報を含む。
【００１７】
本発明の一実施形態では、判断モジュールは、第二の意味特徴情報を取得するために音を解析するため構成されている意味解析ユニットと、第二の意味特徴情報を第一の意味特徴情報と照合するため構成されている照合ユニットと、音と一致した標準音声命令を検索するため構成されている検索ユニットと、を備える。
【００１８】
本発明の一実施形態では、移動体端末は、更に、対応するバックグラウンドタスクを実行することの結果をフィードバックするため構成されているフィードバックモジュールを備える。
【００１９】
本発明の一実施形態では、前記結果は、音声、テキスト、振動、画像及びリンギングよりなる群から選択された１つ以上を含む。
【００２０】
本発明のさらなる態様及び利点は、以下の説明及び添付図面においてある程度与えられるか、以下の説明及び添付図面からある程度明らかになるか、又は、本発明の実施形態の実施から分かるであろう。
【００２１】
本発明の上記態様及び利点及び／又は付加的な態様及び利点は、添付図面に関連して行われた以下の説明から明らかになり、かつ、より一層容易に認められるであろう。
【図面の簡単な説明】
【００２２】
【図１】本発明の一実施形態に係る音声によるバックグラウンド制御方法のフローチャートである。
【図２】本発明の別の実施形態に係る音声によるバックグラウンド制御方法のフローチャートである。
【図３】本発明の実施形態に係る移動体端末の概略図である。
【図４】本発明の実施形態に係る判断モジュールの概略図である。
【発明を実施するための形態】
【００２３】
本発明の実施形態が詳細に説明され、実施形態の実施例は、同一若しくは類似の符号が同一若しくは類似の部材、又は、同一若しくは類似の機能を持つ部材を指示するために使用された図面に例示される。図面に関連して出願文書において説明された実施形態は、説明のためであり、本発明を例示するために使用されるが、本発明を限定するように解釈されるべきではない。
【００２４】
本発明の説明において、「第一の」及び「第二の」のような用語は、説明の目的のため出願文書において使用され、相対的な重要性を示唆又は含意することが意図されていないことが理解されるべきである。本発明の説明において、「接続され」及び「連結され」のような用語は、特に断ること、若しくは、限定することがない限り、広義に使用され、例えば、機械的若しくは電気的接続でもよく、直接接続、若しくは、介在構造体を介する間接接続でもよく、このことは、具体的な状況に照らして当業者によって理解される可能性があることに注意すべきである。更に、本発明の説明において、「複数の」は、特に断らない限り、２又は３以上を意味する。
【００２５】
出願文書においてフローチャート又はその他の方式で説明されたどんなプロセス又は方法でも、特別な論理的機能又はプロセスを実現させるステップの命令を実行する能力を持つコードの１つ以上のモジュール、断片若しくはセグメントを備えることを意味することが理解できる。その上、本発明の好ましい実施形態の範囲がその他の具現化を含み、そして、機能は、出願文書において示された、又は、論じられた順番に限られることなく実施される可能性があり、それどころか、関連する機能の同じ順番又は逆の順番を含むことが、以下の説明及び図面に関連して当業者によって認められるべきである。明細書本文及び図面において、本発明のある種の具体的な実施形態は、本発明の実施形態の原理を実行するある種の方法を説明するために開示されるものであるが、本発明の実施形態の範囲は、これによって限定されないことが理解されるべきである。逆に、本発明の実施形態は、特許請求の範囲の趣旨及び内容の範囲内にある変化、変更などに属している。
【００２６】
以下、本発明の実施形態に係る音声によるバックグラウンド制御方法が図１及び図２に関連して説明される。
【００２７】
図１に示されるように、本発明の実施形態に係る音声によるバックグラウンド制御方法は、以下のステップを備える。
【００２８】
ステップＳ１０１で、移動体端末の所有者の声紋特徴が移動体端末に保存され、音声ベースが作られる。
【００２９】
本発明の一実施形態において、音声ベースは、複数の標準音声命令を含み、各標準音声命令は、対応するバックグラウンドタスクを制御するため構成され、標準音声命令は、所有者の声紋特徴を有し、各標準音声命令は、第一の意味特徴情報を含み、意味特徴情報は、対応するバックグラウンドタスクのタイトル及びアクションを指示するため構成されている。
【００３０】
ステップＳ１０２で、移動体端末の周囲環境の音がリアルタイムに監視される。
【００３１】
本発明の一実施形態において、音声センサが、移動体端末の周囲環境の音を監視するために使用される。
【００３２】
ステップＳ１０３で、音の声紋特徴が抽出される。
【００３３】
ステップＳ１０４で、音を出している人が移動体端末の所有者であるか否かが音の声紋特徴及び音声ベース内の所有者の声紋特徴に基づいて判断される。
【００３４】
ステップＳ１０５で、音を出している人が移動体端末の所有者である場合、音が音声ベース内の標準音声命令を含んでいるか否かが更に判断される。
【００３５】
まず、この音は、この音の第二の意味特徴情報を取得するために解析され、その後、この音の第二の意味特徴情報は、標準音声命令の第一の意味特徴情報と照合され、音と一致した標準音声命令が探索される。
【００３６】
ステップＳ１０６で、音が標準音声命令を含んでいる場合、対応するバックグラウンドタスクが標準音声命令に従って制御される。
【００３７】
本発明の一実施形態において、この方法は、ステップＳ１０６の後に、対応するバックグラウンドタスクを実行することの結果をフィードバックするステップを更に備え、結果は、音声、テキスト、振動、画像及びリンギングよりなる群から選択された１つ以上を含む可能性がある。
【００３８】
以下、本発明の実施形態に係る音声によるバックグラウンド制御方法のプロセスは、図２に関連して詳細に説明される。
【００３９】
移動体端末は、移動体端末の周囲環境の音をリアルタイムに監視し、音の声紋特徴を抽出する。移動体端末の所有者が音声命令（例えば、「カメラをオープンする」）を移動体端末に送信するとき、移動体端末は、音を監視し、音の声紋特徴を抽出する。移動体端末は、抽出された声紋特徴を音声ベース内の所有者の声紋特徴と比較し、抽出された声紋特徴と所有者の声紋特徴とが一致した場合、移動体端末は、音を出している人が移動体端末の所有者である、と判定する。その後、移動体端末は、音が音声ベース内の標準音声命令を含んでいるか否かを更に判断する。音声命令「カメラをオープンする」が音声ベース内で見つけられた場合、音声命令は、バックグラウンド環境へ出力され、対応するバックグラウンドタスクの動作が音声命令に従って制御される。バックグラウンドは、タスクの実行中又は実行後にタスクを実行することの結果をフィードバックする。結果は、音声、テキスト、振動又は音のような様々な形式でフィードバックされる可能性がある。例えば、移動体端末の表示画面は、プロンプトテキスト「カメラがオープンされました」を表示する。これにより、ユーザは、カメラがオープンされたこと、すなわち、バックグラウンドタスクが実行されたことを知ることができる。
【００４０】
本発明の実施形態に係る音声によるバックグラウンド制御方法を用いると、バックグラウンドタスクの動作は、音声により制御できるため、その他のタスクは、ユーザによって動かされている現在タスクを中断することなく実施され得る。ユーザは、異なったプログラムの間で切り換えることなく様々なタスクを動作させる高品質の体験を享受することができる。更に、音声制御の安全性及び信頼性は、移動体端末の所有者の声紋を識別することにより改善され得る。
【００４１】
以下、本発明の実施形態に係る移動体端末が図３及び図４に関連して詳細に説明される。
【００４２】
図３に示されるように、本発明の実施形態に係る移動体端末は、記憶モジュール１１０と、監視モジュール１２０と、抽出モジュール１３０と、判断モジュール１４０と、バックグラウンド制御モジュール１５０とを備える。
【００４３】
記憶モジュール１１０は、移動体端末の所有者の声紋特徴と音声ベースとを記憶するため構成されている。音声ベースは、複数の標準音声命令を含み、標準音声命令の各々は、対応するバックグラウンドタスクを制御するため構成され、標準音声命令は、所有者の声紋特徴を有する。標準音声命令の各々は、対応するバックグラウンドタスクのタイトル及びアクションを指示するため構成されている第一の意味特徴情報を含んでいる。
【００４４】
監視モジュール１２０は、移動体端末の周囲環境の音をリアルタイムに監視するために構成されている。本発明の一実施形態において、監視モジュール１２０は、音声センサとすることができる。抽出モジュール１３０は、音の声紋特徴を抽出するため構成されている。判断モジュール１４０は、抽出された声紋特徴及び所有者の声紋に従って、音を出している人が移動体端末の所有者であるか否かを判断するために構成され、音を出している人が移動体端末の所有者である場合、判断モジュール１４０は、更に音が標準音声命令を含んでいるか否かを判断するために構成されている。
【００４５】
図４に示されるように、判断モジュール１４０は、意味解析ユニット１４１と、照合ユニット１４２と、検索ユニット１４３とを備える。意味解析ユニット１４１は第二の意味特徴情報を取得するために監視された音を解析するため構成されている。照合ユニット１４２は、第二の意味特徴情報を第一の意味特徴情報と照合するため構成されている。検索ユニット１４３は、監視された音と一致した標準音声命令を検索するため構成されている。
【００４６】
バックグラウンド制御モジュール１５０は、判断モジュール１４０がこの音は標準音声命令を含んでいると判断した場合に、標準音声命令に従って対応するバックグラウンドタスクを制御するため構成されている。
【００４７】
本発明の一実施形態において、本発明の実施形態に係る移動体端末は、対応するバックグラウンドタスクを実行することの結果をユーザにフィードバックするため構成されているフィードバックモジュールを更に備える。結果は、音声、テキスト、振動、画像及びリンギングよりなる群から選択された１つ以上を備える。
【００４８】
本発明の実施形態に係る移動体端末を用いると、バックグラウンドタスクの動作は、音声により制御できるので、その他のタスクは、ユーザによって動かされている現在タスクを中断することなく実施され得る。ユーザは、異なったプログラムの間で切り換えることなく様々なタスクを動作させる高品質の体験を享受することができる。更に、音声制御の安全性及び信頼性は、移動体端末の所有者の声紋を識別することにより改善され得る。
【００４９】
出願文書においてフローチャート又はその他の方式で説明されたどんなプロセス又は方法でも、特別な論理的機能又はプロセスを実現させるステップの命令を実行する能力を持つコードの１つ以上のモジュール、断片若しくはセグメントを備えることを意味することが理解できる。その上、本発明の好ましい実施形態の範囲がその他の具現化を含み、そして、機能は、出願文書において示された、又は、論じられた順番に限られることなく実施される可能性があり、それどころか、関連する機能の同じ順番又は逆の順番を含むことが、当業者によって認められるべきである。
【００５０】
本書においてフローチャート又はその他の方式で説明された論理及び／又はステップは、例えば、論理機能を実現させる命令を実行する能力を持つ順序付きリストとしてみなされる可能性があり、そして、命令実行システム、機器、装置（命令実行システム、機器、装置から命令を取得し、実行する能力を持つプロセッサのシステム、若しくは、その他のシステムを含むコンピュータのシステムに基づいている）、又はこれらの組み合わせによって使用されるどんなコンピュータ読み取り可能な記憶媒体でも実現される可能性がある。本発明の観点から、「コンピュータ読み取り可能な記憶媒体」は、命令実行システム、機器、装置、又はこれらの組み合わせによって使用されるプログラムを格納する、記憶する、通信する、伝搬する又は伝送する装置でもよい。コンピュータ読み取り可能な記憶媒体の具体的な実施例（非網羅的なリスト）は、１本以上の配線を含む電気接続部分（電子機器）、携帯型コンピュータディスク（磁気機器）、ランダム・アクセス・メモリ（ＲＡＭ）、リード・オンリー・メモリ（ＲＯＭ）、消去書き込み可能リード・オンリー・メモリ（ＥＰＲＯＭ又はフラッシュメモリ）、ファイバ機器、及び、携帯型コンパクト・ディスク・リード・オンリー・メモリ（ＣＤＲＯＭ）を含む。更に、コンピュータ読み取り可能な記憶媒体は、プログラムが印刷される可能性がある紙又はその他の適当な媒体である可能性さえあり、なぜならば、紙又はその他の媒体は、電子フォーマットでプログラムを取得し、その後、プログラムをコンピュータメモリに記憶するために、例えば、光学的に走査される、編集される、翻訳される、又は、必要に応じてその他の適当な方式で処理される可能性があるからである。
【００５１】
本発明の各部分は、ハードウェア、ソフトウェア、ファームウェア又はこれらの組み合わせによって実現される可能性があることが理解されるべきである。上記実施形態において、複数のステップ又は方法は、メモリに記憶されたソフトウェア又はファームウェアによって実施され、そして、適当な命令実行システムによって実行される可能性がある。例えば、ハードウェアが利用された場合、別の実施形態と同様に、ステップ又は方法は、当該技術分野において広く知られた以下の技術：データ信号の論理関数を達成する論理ゲート回路を含むディスクリート論理回路、適当な混合論理ゲート回路を有する特定用途向け集積回路、プログラマブル・ゲート・アレイ（ＧＰＡ）、フィールド・プログラマブル・ゲート・アレイ（ＦＰＧＡ）などのうちのいずれか１つ、又は、これらの組み合わせによって実施される可能性がある。
【００５２】
実施形態におけるステップの全部又は一部は、プログラムによって指令された対応するハードウェアによって実現される可能性があることが当業者によって認められる可能性がある。プログラムは、コンピュータ読み取り可能な媒体に記憶される可能性があり、実行されるとき、ステップのうちの１つ又はステップの組み合わせを備える可能性がある。
【００５３】
更に、本発明の各実施形態における各機能ユニットは、１つの処理モジュールに統合される可能性があり、又は、別個の物理的な個体である可能性がある。同様に、２個又は３個以上のユニットが１個の処理モジュールに統合される。統合モジュールは、ハードウェア機能モジュールの形式、又は、ソフトウェア機能モジュールの形式のいずれかで実現される可能性がある。統合モジュールは、ソフトウェア機能モジュールの形式で実現されたとき、コンピュータ読み取り可能な記憶媒体に記憶され、そして、個別の製品として販売又は使用される可能性がある。
【００５４】
記憶媒体は、ＲＯＭ、磁気ディスク、光ディスクなどである可能性がある。
【００５５】
本明細書の全体を通じて、「一実施形態」「ある種の実施形態」、「実施例」、「具体的な実施例」又は「ある種の実施例」への言及は、実施形態又は実施例に関連して記載された特別な特徴、構造体、材料、又は特性が本発明の少なくとも１つの実施形態又は実施例に含まれることを意味する。従って、本明細書の全体を通じてこれらの用語は、必ずしも本開示の同じ実施形態又は実施例に言及しない。その上、特別な特徴、構造体、材料、又は特性は、１つ以上の実施形態又は実施例においてどんな適当な方式でも組み合わされることがある。
【００５６】
本発明の実施形態が示され、説明されているが、上記実施形態が説明のためであり、かつ、本発明を限定するように解釈される可能性がないこと、そして、変化、変更、代替及び変形が本発明の趣旨、原理及び範囲から逸脱することなく実施形態において行われる可能性があることが当業者によって認められるであろう。
【図１】
2016502302.tif 000003
【図２】
2016502302.tif 000004
【図３】
2016502302.tif 000005
【図４】
2016502302.tif 000006
【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
移動体端末の所有者の声紋特徴を前記移動体端末に保存し、複数の標準音声命令を含み、各標準音声命令が対応するバックグラウンドタスクを制御するため構成され、前記標準音声命令が前記所有者の前記声紋特徴を有する音声ベースを作ることと、
前記移動体端末の周囲環境の音をリアルタイムに監視することと、
前記音の声紋特徴を抽出することと、
前記音の前記声紋特徴及び前記音声ベース内の前記所有者の前記声紋特徴に基づいて、前記音を出している人が前記移動体端末の前記所有者であるか否かを判断することと、
前記音を出している人が前記移動体端末の前記所有者である場合、前記音が前記音声ベース内の前記標準音声命令を含んでいるか否かをさらに判断することと、
前記音が前記標準音声命令を含んでいる場合、前記標準音声命令に従って対応するバックグラウンドタスクを制御することと、
を備える音声によるバックグラウンド制御方法。
【請求項２】
音声センサが前記移動体端末の前記周囲環境の前記音を監視するために使用される、請求項１に記載の方法。
【請求項３】
前記標準音声命令の各々は、前記対応するバックグラウンドタスクのタイトル及びアクションを指示するため構成されている第一の意味特徴情報を含む、請求項１又は２に記載の方法。
【請求項４】
前記音が前記標準音声命令を含んでいるか否かを判断することは、
第二の意味特徴情報を取得するために前記音を解析することと、
前記第二の意味特徴情報を前記第一の意味特徴情報と照合することと、
前記音と一致した前記標準音声命令を検索することと、
を備える、請求項３に記載の方法。
【請求項５】
前記対応するバックグラウンドタスクを実行することの結果をフィードバックすることをさらに備える、請求項１〜４のいずれか１項に記載の方法。
【請求項６】
前記結果は、音声、テキスト、振動、画像及びリンギングよりなる群から選択された１つ以上を含む、請求項５に記載の方法。
【請求項７】
移動体端末の所有者の声紋特徴を記憶し、複数の標準音声命令を含み、各標準音声命令が対応するバックグラウンドタスクを制御するため構成され、前記標準音声命令が前記所有者の前記声紋特徴を有する音声ベースを記憶するため構成されている記憶モジュールと、
前記移動体端末の周囲環境の音をリアルタイム監視するため構成されている監視モジュールと、
前記音の声紋特徴を抽出するため構成されている抽出モジュールと、
前記音の前記声紋特徴及び前記所有者の前記声紋特徴に従って、前記音を出している人が前記移動体端末の前記所有者であるか否かを判断し、前記音を出している人が前記移動体端末の前記所有者である場合、前記音が前記標準音声命令を含んでいるか否かをさらに判断するため構成されている判断モジュールと、
前記判断モジュールが前記音は前記標準音声命令を含んでいると判断した場合、前記標準音声命令に従って、対応するバックグラウンドタスクを制御するため構成されているバックグラウンド制御モジュールと、
を備える移動体端末。
【請求項８】
前記監視モジュールは、音声センサである、請求項７に記載の移動体端末。
【請求項９】
前記標準音声命令の各々は、前記対応するバックグラウンドタスクのタイトル及びアクションを指示するため構成されている第一の意味特徴情報を備える、請求項７又は８に記載の移動体端末。
【請求項１０】
前記判断モジュールは、
第二の意味特徴情報を取得するために前記音を解析するため構成されている意味解析ユニットと、
前記第二の意味特徴情報を前記第一の意味特徴情報と照合するため構成されている照合ユニットと、
前記音と一致した前記標準音声命令を検索するため構成されている検索ユニットと、
を備える、請求項９に記載の移動体端末。
【請求項１１】
前記対応するバックグラウンドタスクを実行することの結果をフィードバックするため構成されているフィードバックモジュールをさらに備える、請求項７〜１０のいずれか１項に記載の移動体端末。
【請求項１２】
前記結果は、音声、テキスト、振動、画像及びリンギングよりなる群から選択された１つ以上を含む、請求項１１に記載の移動体端末。
【請求項１３】
コンピュータ上で実行されるとき、
移動体端末の所有者の声紋特徴を前記移動体端末に保存し、複数の標準音声命令を含み、各標準音声命令が対応するバックグラウンドタスクを制御するため構成され、前記標準音声命令が前記所有者の前記声紋特徴を有する音声ベースを作るステップと、
前記移動体端末の周囲環境の音をリアルタイムに監視するステップと、
前記音の声紋特徴を抽出するステップと、
前記音の前記声紋特徴及び前記音声ベース内の前記所有者の前記声紋特徴に従って、前記音を出している人が前記移動体端末の前記所有者であるか否かを判断するステップと、
前記音を出している人が前記移動体端末の前記所有者である場合、前記音が前記音声ベース内の前記標準音声命令を含んでいるか否かをさらに判断するステップと、
前記音が前記標準音声命令を含んでいる場合、前記標準音声命令に従って対応するバックグラウンドタスクを制御するステップと、
を実行するように構成されているコンピュータプログラムを備える非一時的なコンピュータ読み取り可能な記憶媒体。
【請求項１４】
音声センサが前記移動体端末の前記周囲環境の前記音を監視するために使用される、請求項１３に記載の非一時的なコンピュータ読み取り可能な記憶媒体。
【請求項１５】
前記標準音声命令の各々は、前記対応するバックグラウンドタスクのタイトル及びアクションを指示するため構成されている第一の意味特徴情報を含む、請求項１３又は１４に記載の非一時的なコンピュータ読み取り可能な記憶媒体。
【手続補正２】
【補正対象書類名】明細書
【補正対象項目名】全文
【補正方法】変更
【補正の内容】
【発明の詳細な説明】
【技術分野】
【０００１】
本発明は、移動体通信の技術分野、より詳しくは、音声によるバックグラウンド制御方法、移動体端末、及び非一時的なコンピュータ読み取り可能な記憶媒体に関する。
【背景技術】
【０００２】
移動体端末がよりインテリジェントになるにつれて、移動体端末では、より多くのタスクが動作される。ユーザが移動体端末においてプログラムを実行したい場合、プログラムは、現在のところ、主としてタッチやクリックを介して開始され、そのフォアグラウンドでは対応する機能が実行される。しかし、移動体端末において複数のタスクが動作しているとき、ユーザは異なるプログラム間での切り換えを必要とし、このことは、操作を煩わしくさせる。さらに悪いことに、ユーザの両手がどちらも塞がっている場合、移動体端末を操作するのは不便である。
【発明の概要】
【発明が解決しようとする課題】
【０００３】
本発明は、上記問題のうちの少なくとも１つを、少なくともある程度まで解決することを目指す。
【０００４】
そのため、本発明の目的は、音声によるバックグラウンドタスクを制御する方法を提供することである。
【０００５】
本発明の別の目的は、移動体端末を提供することである。
【課題を解決するための手段】
【０００６】
これらの目的を達成するために、本発明の実施形態の第一の態様は、
移動体端末の所有者の声紋特徴を移動体端末に保存し、そして、複数の標準音声命令を含み、前記複数の標準音声命令の各々が対応するバックグラウンドタスクを制御するために構成され、且つ所有者の声紋特徴を有する、音声ベースを作るステップと、
移動体端末の周囲環境の音をリアルタイムに監視するステップと、
前記音の声紋特徴を抽出するステップと、
前記音の声紋特徴及び前記音声ベース内の所有者の声紋特徴に基づき、前記音を出している人が移動体端末の所有者であるか否かを判断するステップと、
前記音を出している人が移動体端末の所有者である場合において、前記音が音声ベース内の標準音声命令を含んでいるか否かを更に判断するステップと、
前記音が標準音声命令を含んでいる場合、標準音声命令に従って対応するバックグラウンドタスクを制御するステップとを備える、音声によるバックグラウンド制御方法を提供する。
【０００７】
本発明の実施形態に係る音声によるバックグラウンド制御方法を用いると、バックグラウンドタスクの動作は、音声により制御されるので、その他のタスクは、ユーザによって動かされている現在タスクを中断することなく実施され得る。ユーザは、複数のプログラム間での切り換えを行うことなく、様々なタスクを動作させる高品質の体験を享受できる。更に、移動体端末の所有者の声紋を識別することで、音声制御の安全性及び信頼性が改善され得る。
【０００８】
一実施形態では、音声センサが移動体端末の周囲環境の音を監視するために使用される。
【０００９】
一実施形態では、標準音声命令の各々は、対応するバックグラウンドタスクのタイトル及びアクションを指示するために構成されている第一の意味特徴情報を含む。
【００１０】
一実施形態では、前記音が音声ベース内の標準音声命令を含んでいるか否かを判断するステップは、以下のステップ：第二の意味特徴情報を取得するために音を解析するステップ、第二の意味特徴情報を第一の意味特徴情報と照合するステップ、及び、前記音と一致した標準音声命令を検索するステップを備える。
【００１１】
一実施形態では、音声によるバックグラウンド制御方法は、更に、対応するバックグラウンドタスクを実行することの結果をフィードバックするステップを備える。
【００１２】
一実施形態では、前記結果は、音声、テキスト、振動、画像及びリンギングよりなる群から選択された１つ以上を含む。
【００１３】
これらの目的を達成するために、本発明の実施形態の第二の態様は、
移動体端末の所有者の声紋特徴を記憶し、複数の標準音声命令を含み、標準音声命令の各々が対応するバックグラウンドタスクを制御するために構成され、標準音声命令が所有者の声紋特徴を有する音声ベースを記憶するために構成されている記憶モジュールと、
移動体端末の周囲環境の音をリアルタイムに監視するため構成されている監視モジュールと、
前記音の声紋特徴を抽出するために構成されている抽出モジュールと、
抽出された声紋特徴及び所有者の声紋特徴に基づき、前記音を出している人が移動体端末の所有者であるか否かを判断し、前記音を出している人が移動体端末の所有者である場合に、前記音が標準音声命令を含んでいるか否かを更に判断するために構成されている判断モジュールと、
前記判断モジュールにおいて前記音が標準音声命令を含んでいると判断された場合に、標準音声命令に従って、対応するバックグラウンドタスクを制御するために構成されているバックグラウンド制御モジュールと、を備える移動体端末を提供する。
【００１４】
本発明の実施形態に係る移動体端末を用いると、バックグラウンドタスクの動作が音声により制御されるので、その他のタスクは、ユーザによって動かされている現在タスクを中断することなく実施され得る。ユーザは、複数のプログラム間での切り換えを行うことなく、様々なタスクを動作させる高品質の体験を享受できる。更に、移動体端末の所有者の声紋を識別することで、音声制御の安全性及び信頼性が改善され得る。
【００１５】
一実施形態では、監視モジュールは、音声センサである。
【００１６】
一実施形態では、標準音声命令の各々は、対応するバックグラウンドタスクのタイトル及びアクションを指示するため構成されている第一の意味特徴情報を含む。
【００１７】
一実施形態では、判断モジュールは、第二の意味特徴情報を取得するために音を解析するため構成されている意味解析ユニットと、第二の意味特徴情報を第一の意味特徴情報と照合するため構成されている照合ユニットと、音と一致した標準音声命令を検索するため構成されている検索ユニットと、を備える。
【００１８】
一実施形態では、移動体端末は、更に、対応するバックグラウンドタスクを実行することの結果をフィードバックするため構成されているフィードバックモジュールを備える。
【００１９】
一実施形態では、前記結果は、音声、テキスト、振動、画像及びリンギングよりなる群から選択された１つ以上を含む。
【００２０】
本発明の実施形態の第三の態様は、コンピュータ上で実行されるとき、上記音声によるバックグラウンド制御方法を実行するように構成されているコンピュータプログラムを備える非一時的なコンピュータ読み取り可能な記憶媒体を提供する。
【００２１】
本発明のさらなる態様及び利点は、以下の説明及び添付図面においてある程度与えられるか、以下の説明及び添付図面からある程度明らかになるか、又は、本発明の実施形態の実施から分かるであろう。
【００２２】
本発明の上記態様及び利点及び／又は付加的な態様及び利点は、添付図面に関連して行われた以下の説明から明らかになり、かつ、より一層容易に認められるであろう。
【図面の簡単な説明】
【００２３】
【図１】本発明の一実施形態に係る音声によるバックグラウンド制御方法のフローチャートである。
【図２】本発明の別の実施形態に係る音声によるバックグラウンド制御方法のフローチャートである。
【図３】本発明の実施形態に係る移動体端末の概略図である。
【図４】本発明の実施形態に係る判断モジュールの概略図である。
【発明を実施するための形態】
【００２４】
本発明の実施形態が詳細に説明され、実施形態の実施例は、同一若しくは類似の符号が同一若しくは類似の部材、又は、同一若しくは類似の機能を持つ部材を指示するために使用された図面に例示される。図面に関連して出願文書において説明された実施形態は、説明のためであり、本発明を例示するために使用されるが、本発明を限定するように解釈されるべきではない。
【００２５】
本発明の説明において、「第一の」及び「第二の」のような用語は、説明の目的のため出願文書において使用され、相対的な重要性を示唆又は含意することが意図されていないことが理解されるべきである。本発明の説明において、「接続され」及び「連結され」のような用語は、特に断ること、若しくは、限定することがない限り、広義に使用され、例えば、機械的若しくは電気的接続でもよく、直接接続、若しくは、介在構造体を介する間接接続でもよく、このことは、具体的な状況に照らして当業者によって理解される可能性があることに注意すべきである。更に、本発明の説明において、「複数の」は、特に断らない限り、２又は３以上を意味する。
【００２６】
出願文書においてフローチャート又はその他の方式で説明されたどんなプロセス又は方法でも、特別な論理的機能又はプロセスを実現させるステップの命令を実行する能力を持つコードの１つ以上のモジュール、断片若しくはセグメントを備えることを意味することが理解できる。その上、本発明の好ましい実施形態の範囲がその他の具現化を含み、そして、機能は、出願文書において示された、又は、論じられた順番に限られることなく実施される可能性があり、それどころか、関連する機能の同じ順番又は逆の順番を含むことが、以下の説明及び図面に関連して当業者によって認められるべきである。明細書本文及び図面において、本発明のある種の具体的な実施形態は、本発明の実施形態の原理を実行するある種の方法を説明するために開示されるものであるが、本発明の実施形態の範囲は、これによって限定されないことが理解されるべきである。逆に、本発明の実施形態は、特許請求の範囲の趣旨及び内容の範囲内にある変化、変更などに属している。
【００２７】
以下、本発明の実施形態に係る音声によるバックグラウンド制御方法が図１及び図２に関連して説明される。
【００２８】
図１に示されるように、本発明の実施形態に係る音声によるバックグラウンド制御方法は、以下のステップを備える。
【００２９】
ステップＳ１０１で、移動体端末の所有者の声紋特徴が移動体端末に保存され、音声ベースが作られる。
【００３０】
一実施形態において、音声ベースは、複数の標準音声命令を含み、各標準音声命令は、対応するバックグラウンドタスクを制御するため構成され、標準音声命令は、所有者の声紋特徴を有し、各標準音声命令は、第一の意味特徴情報を含み、意味特徴情報は、対応するバックグラウンドタスクのタイトル及びアクションを指示するため構成されている。
【００３１】
ステップＳ１０２で、移動体端末の周囲環境の音がリアルタイムに監視される。
【００３２】
一実施形態において、音声センサが、移動体端末の周囲環境の音を監視するために使用される。
【００３３】
ステップＳ１０３で、音の声紋特徴が抽出される。
【００３４】
ステップＳ１０４で、音を出している人が移動体端末の所有者であるか否かが音の声紋特徴及び音声ベース内の所有者の声紋特徴に基づいて判断される。
【００３５】
ステップＳ１０５で、音を出している人が移動体端末の所有者である場合、音が音声ベース内の標準音声命令を含んでいるか否かが更に判断される。
【００３６】
まず、この音は、この音の第二の意味特徴情報を取得するために解析され、その後、この音の第二の意味特徴情報は、標準音声命令の第一の意味特徴情報と照合され、音と一致した標準音声命令が探索される。
【００３７】
ステップＳ１０６で、音が標準音声命令を含んでいる場合、対応するバックグラウンドタスクが標準音声命令に従って制御される。
【００３８】
一実施形態において、この方法は、ステップＳ１０６の後に、対応するバックグラウンドタスクを実行することの結果をフィードバックするステップを更に備え、結果は、音声、テキスト、振動、画像及びリンギングよりなる群から選択された１つ以上を含む可能性がある。
【００３９】
以下、本発明の実施形態に係る音声によるバックグラウンド制御方法のプロセスは、図２に関連して詳細に説明される。
【００４０】
移動体端末は、移動体端末の周囲環境の音をリアルタイムに監視し、音の声紋特徴を抽出する。移動体端末の所有者が音声命令（例えば、「カメラをオープンする」）を移動体端末に送信するとき、移動体端末は、音を監視し、音の声紋特徴を抽出する。移動体端末は、抽出された声紋特徴を音声ベース内の所有者の声紋特徴と比較し、抽出された声紋特徴と所有者の声紋特徴とが一致した場合、移動体端末は、音を出している人が移動体端末の所有者である、と判定する。その後、移動体端末は、音が音声ベース内の標準音声命令を含んでいるか否かを更に判断する。音声命令「カメラをオープンする」が音声ベース内で見つけられた場合、音声命令は、バックグラウンド環境へ出力され、対応するバックグラウンドタスクの動作が音声命令に従って制御される。バックグラウンドは、タスクの実行中又は実行後にタスクを実行することの結果をフィードバックする。結果は、音声、テキスト、振動又は音のような様々な形式でフィードバックされる可能性がある。例えば、移動体端末の表示画面は、プロンプトテキスト「カメラがオープンされました」を表示する。これにより、ユーザは、カメラがオープンされたこと、すなわち、バックグラウンドタスクが実行されたことを知ることができる。
【００４１】
本発明の実施形態に係る音声によるバックグラウンド制御方法を用いると、バックグラウンドタスクの動作は、音声により制御できるため、その他のタスクは、ユーザによって動かされている現在タスクを中断することなく実施され得る。ユーザは、異なったプログラムの間で切り換えることなく様々なタスクを動作させる高品質の体験を享受することができる。更に、音声制御の安全性及び信頼性は、移動体端末の所有者の声紋を識別することにより改善され得る。
【００４２】
以下、本発明の実施形態に係る移動体端末が図３及び図４に関連して詳細に説明される。
【００４３】
図３に示されるように、本発明の実施形態に係る移動体端末は、記憶モジュール１１０と、監視モジュール１２０と、抽出モジュール１３０と、判断モジュール１４０と、バックグラウンド制御モジュール１５０とを備える。
【００４４】
記憶モジュール１１０は、移動体端末の所有者の声紋特徴と音声ベースとを記憶するため構成されている。音声ベースは、複数の標準音声命令を含み、標準音声命令の各々は、対応するバックグラウンドタスクを制御するため構成され、標準音声命令は、所有者の声紋特徴を有する。標準音声命令の各々は、対応するバックグラウンドタスクのタイトル及びアクションを指示するため構成されている第一の意味特徴情報を含んでいる。
【００４５】
監視モジュール１２０は、移動体端末の周囲環境の音をリアルタイムに監視するために構成されている。一実施形態において、監視モジュール１２０は、音声センサとすることができる。抽出モジュール１３０は、音の声紋特徴を抽出するため構成されている。判断モジュール１４０は、抽出された声紋特徴及び所有者の声紋に従って、音を出している人が移動体端末の所有者であるか否かを判断するために構成され、音を出している人が移動体端末の所有者である場合、判断モジュール１４０は、更に音が標準音声命令を含んでいるか否かを判断するために構成されている。
【００４６】
図４に示されるように、判断モジュール１４０は、意味解析ユニット１４１と、照合ユニット１４２と、検索ユニット１４３とを備える。意味解析ユニット１４１は第二の意味特徴情報を取得するために監視された音を解析するため構成されている。照合ユニット１４２は、第二の意味特徴情報を第一の意味特徴情報と照合するため構成されている。検索ユニット１４３は、監視された音と一致した標準音声命令を検索するため構成されている。
【００４７】
バックグラウンド制御モジュール１５０は、判断モジュール１４０がこの音は標準音声命令を含んでいると判断した場合に、標準音声命令に従って対応するバックグラウンドタスクを制御するため構成されている。
【００４８】
一実施形態において、本発明の実施形態に係る移動体端末は、対応するバックグラウンドタスクを実行することの結果をユーザにフィードバックするため構成されているフィードバックモジュールを更に備える。結果は、音声、テキスト、振動、画像及びリンギングよりなる群から選択された１つ以上を備える。
【００４９】
本発明の実施形態に係る移動体端末を用いると、バックグラウンドタスクの動作は、音声により制御できるので、その他のタスクは、ユーザによって動かされている現在タスクを中断することなく実施され得る。ユーザは、異なったプログラムの間で切り換えることなく様々なタスクを動作させる高品質の体験を享受することができる。更に、音声制御の安全性及び信頼性は、移動体端末の所有者の声紋を識別することにより改善され得る。
【００５０】
本発明の実施形態の第三の態様は、コンピュータ上で実行されるとき、上記音声によるバックグラウンド制御方法を実行するように構成されているコンピュータプログラムを備える非一時的なコンピュータ読み取り可能な記憶媒体を提供する。
【００５１】
出願文書においてフローチャート又はその他の方式で説明されたどんなプロセス又は方法でも、特別な論理的機能又はプロセスを実現させるステップの命令を実行する能力を持つコードの１つ以上のモジュール、断片若しくはセグメントを備えることを意味することが理解できる。その上、本発明の好ましい実施形態の範囲がその他の具現化を含み、そして、機能は、出願文書において示された、又は、論じられた順番に限られることなく実施される可能性があり、それどころか、関連する機能の同じ順番又は逆の順番を含むことが、当業者によって認められるべきである。
【００５２】
本書においてフローチャート又はその他の方式で説明された論理及び／又はステップは、例えば、論理機能を実現させる命令を実行する能力を持つ順序付きリストとしてみなされる可能性があり、そして、命令実行システム、機器、装置（命令実行システム、機器、装置から命令を取得し、実行する能力を持つプロセッサのシステム、若しくは、その他のシステムを含むコンピュータのシステムに基づいている）、又はこれらの組み合わせによって使用されるどんなコンピュータ読み取り可能な記憶媒体でも実現される可能性がある。本発明の観点から、「コンピュータ読み取り可能な記憶媒体」は、命令実行システム、機器、装置、又はこれらの組み合わせによって使用されるプログラムを格納する、記憶する、通信する、伝搬する又は伝送する装置でもよい。コンピュータ読み取り可能な記憶媒体の具体的な実施例（非網羅的なリスト）は、１本以上の配線を含む電気接続部分（電子機器）、携帯型コンピュータディスク（磁気機器）、ランダム・アクセス・メモリ（ＲＡＭ）、リード・オンリー・メモリ（ＲＯＭ）、消去書き込み可能リード・オンリー・メモリ（ＥＰＲＯＭ又はフラッシュメモリ）、ファイバ機器、及び、携帯型コンパクト・ディスク・リード・オンリー・メモリ（ＣＤＲＯＭ）を含む。更に、コンピュータ読み取り可能な記憶媒体は、プログラムが印刷される可能性がある紙又はその他の適当な媒体である可能性さえあり、なぜならば、紙又はその他の媒体は、電子フォーマットでプログラムを取得し、その後、プログラムをコンピュータメモリに記憶するために、例えば、光学的に走査される、編集される、翻訳される、又は、必要に応じてその他の適当な方式で処理される可能性があるからである。
【００５３】
本発明の各部分は、ハードウェア、ソフトウェア、ファームウェア又はこれらの組み合わせによって実現される可能性があることが理解されるべきである。上記実施形態において、複数のステップ又は方法は、メモリに記憶されたソフトウェア又はファームウェアによって実施され、そして、適当な命令実行システムによって実行される可能性がある。例えば、ハードウェアが利用された場合、別の実施形態と同様に、ステップ又は方法は、当該技術分野において広く知られた以下の技術：データ信号の論理関数を達成する論理ゲート回路を含むディスクリート論理回路、適当な混合論理ゲート回路を有する特定用途向け集積回路、プログラマブル・ゲート・アレイ（ＧＰＡ）、フィールド・プログラマブル・ゲート・アレイ（ＦＰＧＡ）などのうちのいずれか１つ、又は、これらの組み合わせによって実施される可能性がある。
【００５４】
実施形態におけるステップの全部又は一部は、プログラムによって指令された対応するハードウェアによって実現される可能性があることが当業者によって認められる可能性がある。プログラムは、コンピュータ読み取り可能な媒体に記憶される可能性があり、実行されるとき、ステップのうちの１つ又はステップの組み合わせを備える可能性がある。
【００５５】
更に、本発明の各実施形態における各機能ユニットは、１つの処理モジュールに統合される可能性があり、又は、別個の物理的な個体である可能性がある。同様に、２個又は３個以上のユニットが１個の処理モジュールに統合される。統合モジュールは、ハードウェア機能モジュールの形式、又は、ソフトウェア機能モジュールの形式のいずれかで実現される可能性がある。統合モジュールは、ソフトウェア機能モジュールの形式で実現されたとき、コンピュータ読み取り可能な記憶媒体に記憶され、そして、個別の製品として販売又は使用される可能性がある。
【００５６】
記憶媒体は、ＲＯＭ、磁気ディスク、光ディスクなどである可能性がある。
【００５７】
本明細書の全体を通じて、「一実施形態」「ある種の実施形態」、「実施例」、「具体的な実施例」又は「ある種の実施例」への言及は、実施形態又は実施例に関連して記載された特別な特徴、構造体、材料、又は特性が本発明の少なくとも１つの実施形態又は実施例に含まれることを意味する。従って、本明細書の全体を通じてこれらの用語は、必ずしも本開示の同じ実施形態又は実施例に言及しない。その上、特別な特徴、構造体、材料、又は特性は、１つ以上の実施形態又は実施例においてどんな適当な方式でも組み合わされることがある。
【００５８】
本発明の実施形態が示され、説明されているが、上記実施形態が説明のためであり、かつ、本発明を限定するように解釈される可能性がないこと、そして、変化、変更、代替及び変形が本発明の趣旨、原理及び範囲から逸脱することなく実施形態において行われる可能性があることが当業者によって認められるであろう。
【国際調査報告】
2016502302.tif 000007
2016502302.tif 000008
2016502302.tif 000009
2016502302.tif 000010
2016502302.tif 000011
2016502302.tif 000012